(57)【要約】      （修正有）【課題】バイオメトリクス認証に基づくモバイル支払システムおよびモバイル支払方法を提供する。【解決手段】モバイル末端１１は、メニュー上の各々の目標物に対応する識別コードの中から少なくとも１つの識別コード１２をスキャニングしてリストを作成し、モバイル末端１１の番号とともにシステムサーバー１３へ発送する。システムサーバー１３はリストと支払命令をモバイル支払プラットホーム１４へ発送し、モバイル末端１１ユーザーの支払を請求する。支払命令を受けたモバイル支払プラットホーム１４は、リストをモバイル末端１１へ発送する。ユーザーはモバイル末端１１を通じて確認し、バイオメトリクス支払をした後、確認情報をモバイル支払プラットホーム１４にフィードバックする。モバイル支払プラットホーム１４は支払済み命令をシステムサーバー１３に発送する。【選択図】図１
2016004588.tif 000002
【特許請求の範囲】
【請求項１】
バイオメトリクス認証に基づくモバイル支払システムは、モバイル末端やメニュー上に設置される識別コード、システムサーバー、モバイル支払プラットホームを含み、前記メニュー上の個々の目標物は１つの識別コードと対応し、その中、
前記モバイル末端は前記メニュー上の少なくとも１つの目標物にそれぞれ対応する少なくとも１つの識別コードをスキャニングすることによってリストを形成し、前記リストと前記モバイル末端に対応する番号を前記システムサーバーに発送することに使われ、
前記システムサーバーは前記リストを前記モバイル支払プラットホームに発送するとともに、前記モバイル支払プラットホームに支払命令を発送して、前記モバイル末端ユーザーの支払を請求することに使われ、
前記モバイル支払プラットホームは前記支払命令を受けた後、前記リストを前記モバイル末端に発送して、前記ユーザーが前記モバイル末端を通じて確認をするとともに、バイオメトリクス支払に通過した後、確認情報を前記モバイル支払プラットホームにフィードバックすることに使われ、
前記モバイル支払プラットホームは支払済み命令を前記システムサーバーに発送することによって、前記システムサーバーによって取引の命令を下すことにも使われる、
ことを特徴とするバイオメトリクス認証に基づくモバイル支払システム。
【請求項２】
前記識別コードはファースト公開鍵を前記モバイル末端に発送し、前記モバイル末端は前記ファースト公開鍵を通じて前記リストと前記モバイル末端の番号に対する暗号化を行うとともに、暗号化済みの前記リストと前記番号を前記システムサーバーに発送し、従って、
前記システムサーバーは暗号化済みの前記リストと前記モバイル末端の番号を受領した後、ファースト私有鍵を利用して前記リストと前記モバイル末端の番号に対する復号化を行い、その中、前記ファースト公開鍵と前記ファースト私有鍵は経営者のファーストバイオ情報を提供することによって生成される、
ことを特徴とする請求項１に記載のモバイル支払システム。
【請求項３】
前記モバイル支払プラットホームは前記システムサーバーからの支払命令を受けた後、自分のプロトコールを通じて前記リストに対する暗号化保護を行ってから、モバイル末端に発送し、
前記モバイル末端は前記ユーザーのセカンドバイオ情報を抽出することによって確認を完了させ、その後前記セカンドバイオ情報によって生成されたセカンド私有鍵を利用して前記ユーザーの確認情報に対する暗号化を行い、前記モバイル支払プラットホームに発送し、
前記モバイルプラットホームは前記セカンドバイオ情報によって生成されるセカンド公開鍵を利用して復号化を行い、オーダー支払を完了させる、
ことを特徴とする請求項１に記載のモバイル支払システム。
【請求項４】
前記モバイル末端は前記セカンド公開鍵を前記モバイル支払プラットホームに発送し、前記セカンド私有鍵を前記モバイル末端のバイオ情報装置上に保存することにも使われる、
ことを特徴とする請求項３に記載のモバイル支払システム。
【請求項５】
モバイル支払プラットホームは具体的に運営業者によって提供される電子支払プラットホームであり、前記支払済み勘定を前記モバイル末端の電話勘定上に表示させることができ、又は、
前記モバイル支払プラットホームは銀行委任の支払システムである、
ことを特徴とする請求項１〜４のいずれかに記載のモバイル支払システム。
【請求項６】
モバイル末端を通じてメニュー上の少なくとも１つの目標物にそれぞれ対応する少なくとも１つの識別コードをスキャニングすることによってリストを形成し、前記リストと前記モバイル末端に対応する番号をシステムサーバーに発送し、その中、前記メニュー上の個々の目標物は１つの識別コードと対応し、
前記システムサーバーを通じて前記リストをモバイル支払プラットホームに発送するとともに、前記モバイル支払プラットホームに支払命令を発送して、前記モバイル末端ユーザーの支払を請求し、
前記モバイル支払プラットホームは前記支払命令を受けた後、前記リストを前記モバイル末端に発送して、前記ユーザーが前記モバイル末端を通じて確認をするとともに、バイオメトリクス支払に通過した後、確認情報を前記モバイル支払プラットホームにフィードバックする、
前記モバイル支払プラットホームは支払済み命令を前記システムサーバーに発送することによって、前記システムサーバーを通じて取引命令を下す、
ことを特徴とするバイオメトリクス認証に基づくモバイル支払方法。
【請求項７】
前記モバイル支払方法において、
前記識別コードはファースト公開鍵を前記モバイル末端に発送し、前記モバイル末端は前記ファースト公開鍵を通じて前記リストと前記モバイル末端の番号に対する暗号化を行うとともに、暗号化済みの前記リストと前記番号を前記システムサーバーに発送し、従って、
前記システムサーバーは暗号化済みの前記リストと前記モバイル末端の番号を受領した後、ファースト私有鍵を利用して前記リストと前記モバイル末端の番号に対する復号化を行い、その中、前記ファースト公開鍵と前記ファースト私有鍵は経営者のファーストバイオ情報を提供することによって生成される、
ことを特徴とする請求項６に記載のモバイル支払方法。
【請求項８】
前記モバイル支払方法において、
前記モバイル支払プラットホームは前記システムサーバーからの支払命令を受けた後、自分のプロトコールを通じて前記リストに対する暗号化保護を行ってから、モバイル末端に発送し、
前記モバイル末端は前記ユーザーのセカンドバイオ情報を抽出することによって確認を完了させ、その後前記セカンドバイオ情報によって生成されたセカンド私有鍵を利用して前記ユーザーの確認情報に対する暗号化を行い、前記モバイル支払プラットホームに発送し、
前記モバイルプラットホームは前記セカンドバイオ情報によって生成されるセカンド公開鍵を利用して復号化を行い、オーダー支払を完了させる、
ことを特徴とする請求項６に記載のモバイル支払方法。
【請求項９】
前記モバイル支払方法において、
前記モバイル末端は前記セカンド公開鍵を前記モバイル支払プラットホームに発送し、前記セカンド私有鍵を前記モバイル末端のバイオ情報装置上に保存することにも使われる、
ことを特徴とする請求項８に記載のモバイル支払方法。
【請求項１０】
モバイル支払プラットホームは具体的に運営業者によって提供される電子支払プラットホームであり、前記支払済み勘定を前記モバイル末端の電話勘定上に表示させることができ、又は、
前記モバイル支払プラットホームは銀行委任の支払システムである、
ことを特徴とする請求項６〜９のいずれかに記載のモバイル支払方法。
【発明の詳細な説明】
【技術分野】
【０００１】
本発明は電子技術分野に関するもので、特にバイオメトリクス認証に基づくモバイル支払システムおよびモバイル支払方式に関するものである。
【背景技術】
【０００２】
目下、人々の日常生活中、消費者と経営者との間の取引行為は至る所に見られる。しかし、取引が増えて来るにつれ、発明者は消費者の料理注文において以下欠点があることに気が付いた。１．消費者にとって待合の時間が長すぎで、時間の無駄になる。２．経営者にとって、消費者の提出する問題を解決するために人を雇わなければならないので、時間と金銭的コストが増える。３．経営者にとって、雇用者によるキャッシュ管理が行われるので、経営者に対するリスクが増える。
【発明の概要】
【０００３】
既存技術問題を解決するために、本発明の実施例ではバイオメトリクス認証に基づくモバイル支払システムおよびモバイル支払方法を提供している。
【０００４】
技術手段：
バイオメトリクス認証に基づくモバイル支払システムを提供するが、当該バイオメトリクス認証に基づくモバイル支払システムは、モバイル末端、メニュー上に設置される識別コード、システムサーバー、モバイル支払プラットホームを含み、前記メニュー上の個々の目標物は１つの識別コードと対応し、その中、
前記モバイル末端は前記メニュー上の少なくとも１つの目標物にそれぞれ対応する少なくとも１つの識別コードをスキャニングすることによってリストを形成し、前記リストと前記モバイル末端に対応する番号を前記システムサーバーに発送することに使われる。
【０００５】
前記システムサーバーは前記リストを前記モバイル支払プラットホームに発送するとともに、前記モバイル支払プラットホームに支払命令を発送して、前記モバイル末端ユーザーの支払を請求することに使われる。
【０００６】
前記モバイル支払プラットホームは前記支払命令を受けた後、前記リストを前記モバイル末端に発送して、前記ユーザーが前記モバイル末端を通じて確認をするとともに、バイオメトリクス支払に通過した後、確認情報を前記モバイル支払プラットホームにフィードバックすることに使われる。
【０００７】
前記モバイル支払プラットホームは支払済み命令を前記システムサーバーに発送することによって、食堂が料理を出すようにさせることにも使われる。
【０００８】
また、バイオメトリクス認証に基づくモバイル支払方法を提供するが、当該バイオメトリクス認証に基づくモバイル支払方法には以下内容が含まれる。
【０００９】
モバイル末端を通じてメニュー上の少なくとも１つの目標物にそれぞれ対応する少なくとも１つの識別コードをスキャニングすることによってリストを形成し、前記リストと前記モバイル末端に対応する番号をシステムサーバーに発送し、その中、前記メニュー上の個々の目標物は１つの識別コードと対応している。
【００１０】
前記システムサーバーを通じて前記リストをモバイル支払プラットホームに発送するとともに、前記モバイル支払プラットホームに支払命令を発送して、前記モバイル末端ユーザーの支払を請求する。
【００１１】
前記モバイル支払プラットホームは前記支払命令を受けた後、前記リストを前記モバイル末端に発送して、前記ユーザーが前記モバイル末端を通じて確認をするとともに、バイオメトリクス支払に通過した後、確認情報を前記モバイル支払プラットホームにフィードバックする。
【００１２】
前記モバイル支払プラットホームは支払済み命令を前記システムサーバーに発送することによって、食堂が料理を出すようにさせる。
【００１３】
本発明の実施例によって提供される技術手段の有益な効果：
モバイル末端を利用して少なくとも１つの目標物にそれぞれ対応する少なくとも１つの識別コードをスキャニングすることによって、リストを形成するので、発注中待たなくても良い。モバイル支払システムで支払うので、取引がリアルタイムに行える。モバイル末端で確認するとともにバイオメトリクスで支払うので、他人のスキミングも防げるし、取引が安全且つ効率的になる。
【図面の簡単な説明】
【００１４】
本発明実施例中の技術手段をよりはっきりと説明するために、実施例の説明に必要になる添付図について以下のとおり説明するが、明らかなことに、以下説明中の添付図はただの本発明の最良の実施例に過ぎず、本分野の一般技術者なら、創造的な努力をしなくてもこれらの添付図によってその他の添付図を得ることができる。
【００１５】
【図１】図１は本発明の実施例１によって提供されるバイオメトリクス認証に基づくモバイル支払システムの構造見取り図である。
【図２】図２は本発明の実施例２によって提供されるバイオメトリクス認証に基づくモバイル支払方法のフローチャートである。
【発明を実施するための形態】
【００１６】
本発明の目的や技術手段およびメリットをよりはっきりとさせるために、次では添付図に合わせて本発明の実施方式についてさらに詳しく説明するものとする。
【００１７】
（実施例１）
図１は本発明実施例１によって提供されるバイオメトリクス認証に基づくモバイル支払システムの構造見取り図であり、図１のとおり、本発明実施例によって提供されるバイオメトリクス認証に基づくモバイル支払システム１００は、モバイル末端１１、メニュー上に設置される複数の識別コード１２、システムサーバー１３、モバイル支払プラットホーム１４を含み、メニュー上の個々の目標物は１つの識別コード１２と対応する。
【００１８】
その中、モバイル末端１１は前記メニュー上の少なくとも１つの目標物にそれぞれ対応する少なくとも１つの識別コード１２をスキャニングすることによってリストを形成し、リストと前記モバイル末端１１に対応する番号を前記システムサーバー１３に発送することに使われ、システムサーバー１３はリストをモバイル支払プラットホーム１４に発送するとともに、モバイル支払プラットホーム１４に支払命令を発送して、前記モバイル末端１１ユーザーの支払を請求することに使われ、モバイル支払プラットホーム１４は支払命令を受けた後、リストをモバイル末端１１に発送して、ユーザーがモバイル末端１１を通じて確認をするとともに、バイオメトリクス支払に通過した後、確認情報をモバイル支払プラットホーム１４にフィードバックすることに使われ、モバイル支払プラットホーム１４は支払済み命令をシステムサーバー１３に発送することによって、システムサーバー１３によって取引の命令を出すことにも使われる。
【００１９】
本発明実施例によって提供されるバイオメトリクス認証に基づくモバイル支払システムは、モバイル末端１１でメニュー上の複数の目標物に対応する識別コード１２をスキャニングすることによってリストを形成し、これによって発注中待たなくても良く、モバイル支払システム１４で支払うので、取引がリアルタイムに行え、モバイル末端１１で確認するとともにバイオメトリクスで支払うので、他人のスキミングも防げるし、取引が安全且つ効率的になる。
【００２０】
さらに、上記実施例１において、識別コード１２はファースト公開鍵をモバイル末端１１に発送し、モバイル末端１１は前記ファースト公開鍵を通じて前記リストとモバイル末端１１の番号に対する暗号化を行うとともに、暗号化済みの前記リストと前記番号をシステムサーバー１３に発送し、従って、システムサーバー１３は暗号化済みの前記リストとモバイル末端１１の番号を受領した後、ファースト私有鍵を利用して前記リストとモバイル末端１１の番号に対する復号化を行い、その中、前記ファースト公開鍵と前記ファースト私有鍵は経営者のファーストバイオ情報を提供することによって生成される。
【００２１】
さらに、上記実施例１において、モバイル支払プラットホーム１４はシステムサーバー１３からの支払命令を受けた後、自分のプロトコールを通じて前記リストに対する暗号化保護を行ってから、モバイル末端１１に発送し、モバイル末端１１は前記ユーザーのセカンドバイオ情報を抽出することによって確認を完了させ、その後前記セカンドバイオ情報によって生成されるセカンド私有鍵を利用して前記ユーザーの確認情報に対する暗号化を行い、モバイル支払プラットホーム１４に発送し、モバイル支払プラットホーム１４は前記セカンドバイオ情報によって生成されるセカンド公開鍵を利用して復号化を行い、オーダーの支払を完了させる。
【００２２】
さらに、上記実施例１において、モバイル末端１１は前記セカンド公開鍵をモバイル支払プラットホーム１４に発送し、前記セカンド私有鍵をモバイル末端１１のバイオ情報装置上に保存することにも使われる。
【００２３】
上記支払方式から見れば、本発明実施例では２組の秘密鍵を使っている。つまり、経営者のファースト秘密鍵（ファースト公開鍵とファースト私有鍵）はシステムサーバー１３上のバイオ情報装置によって抽出且つ生成でき、ユーザーのセカンド秘密鍵（セカンド公開鍵とセカンド私有鍵）はユーザーモバイル末端１１上のバイオ情報装置によって抽出且つ生成でき、モバイル末端１１を通じてセカンド公開鍵をモバイル支払プラットホーム１４に発送し、セカンド私有鍵はセカンド末端１１のバイオ情報装置上に保存される。また、本発明実施例中の暗号化と復号化は２組中のいずれかの組の秘密鍵で暗号化・復号化するかに限らず、２組の秘密鍵がマッチングさえできれば、暗号化・復号化が可能となる。
【００２４】
さらに、上記実施例１において、モバイル支払プラットホーム１４は具体的に運営業者によって提供される電子支払プラットホームであり、前記支払済み勘定を前記モバイル末端の電話勘定上に表示させることができ、又は、モバイル支払プラットホーム１４は銀行委任の支払システムである可能性もある。本分野の技術者なら、本発明の実施例はただの電子支払プラットホーム又は銀行委任支払システムによる実例を挙げた説明に過ぎなく、本発明実施例は当該２種の方式だけに限らないということを理解し易い。
【００２５】
（実施例２）
図２は本発明実施例２によって提供されるバイオメトリクス認証に基づくモバイル支払方法のフローチャートである。本発明実施例は実施例１のバイオメトリクス認証に基づくモバイル支払システムに実現できるが、図２のとおり、本発明実施例中のバイオメトリクス認証に基づくモバイル支払方法には具体的に以下ステップが含まれる。
【００２６】
ステップ２０１：モバイル末端を通じてメニュー上の少なくとも１つの目標物にそれぞれ対応する少なくとも１つの識別コードをスキャニングすることによってリストを形成し、前記リストと前記モバイル末端に対応する番号をシステムサーバーに発送し、その中、メニュー上の個々の目標物は１つの識別コードと対応している。
【００２７】
ステップ２０２：前記システムサーバーを通じて前記リストをモバイル支払プラットホームに発送するとともに、前記モバイル支払プラットホームに支払命令を発送して、前記モバイル末端ユーザーの支払を請求する。
【００２８】
ステップ２０３：前記モバイル支払プラットホームは前記支払命令を受けた後、前記リストを前記モバイル末端に発送して、前記ユーザーが前記モバイル末端を通じて確認をするとともに、バイオメトリクス支払に通過した後、確認情報を前記モバイル支払プラットホームにフィードバックする。
【００２９】
ステップ２０４：前記モバイル支払プラットホームを通じて支払済み命令を前記システムサーバーに発送することによって、システムサーバーを通じて取引命令を下す。
【００３０】
本発明実施例によって提供されるバイオメトリクス認証に基づくモバイル支払方法は、モバイル末端を通じてメニュー上の少なくとも１つの目標物に対応する少なくとも１つの識別コードをスキャニングすることによってリストを形成し、これによって発注中待たなくても良く、モバイル支払システムを通じて支払うので、取引がリアルタイムに行え、モバイル末端を通じて確認するとともにバイオメトリクスを通じて支払うので、他人のスキミングも防げるし、取引が安全且つ効率的になる。
【００３１】
さらに、上記実施例２において、前記モバイル支払方法には以下内容が含まれる。
【００３２】
前記識別コードはファースト公開鍵を前記モバイル末端に発送し、前記モバイル末端は前記ファースト公開鍵を通じて前記リストと前記モバイル末端の番号に対する暗号化を行うとともに、暗号化済みの前記リストと前記番号を前記システムサーバーに発送する。従って、
前記システムサーバーは暗号化済みの前記リストと前記モバイル末端の番号を受領した後、ファースト私有鍵を利用して前記リストと前記モバイル末端の番号に対する復号化を行う。その中、前記ファースト公開鍵と前記ファースト私有鍵は経営者のファーストバイオ情報を提供することによって生成される。
【００３３】
さらに、上記実施例２において、前記モバイル支払方法には以下内容も含まれる。
【００３４】
前記モバイル支払プラットホームは前記システムサーバーからの支払命令を受けた後、自分のプロトコールを通じて前記リストに対する暗号化保護を行ってから、モバイル末端に発送する。
【００３５】
前記モバイル末端は前記ユーザーのセカンドバイオ情報を抽出することによって確認を完了させ、その後前記セカンドバイオ情報によって生成されたセカンド私有鍵を利用して前記ユーザーの確認情報に対する暗号化を行い、前記モバイル支払プラットホームに発送する。
【００３６】
前記モバイルプラットホームは前記セカンドバイオ情報によって生成されるセカンド公開鍵を利用して復号化を行い、オーダー支払を完了させる。
【００３７】
さらに、実施例２において、前記モバイル支払方法には以下内容も含まれる。
【００３８】
前記モバイル末端は前記セカンド公開鍵を前記モバイル支払プラットホームに発送し、前記セカンド私有鍵を前記モバイル末端のバイオ情報装置上に保存することにも使われる。
【００３９】
上記支払方式から見れば、本発明実施例では２組の秘密鍵を使っている。つまり、経営者のファースト秘密鍵（ファースト公開鍵とファースト私有鍵）はシステムサーバー１３上のバイオ情報装置によって抽出且つ生成でき、ユーザーのセカンド秘密鍵（セカンド公開鍵とセカンド私有鍵）はユーザーモバイル末端１１上のバイオ情報装置によって抽出且つ生成でき、モバイル末端１１を通じてセカンド公開鍵をモバイル支払プラットホーム１４に発送し、セカンド私有鍵はセカンド末端１１のバイオ情報装置上に保存される。また、本発明実施例中の暗号化と復号化は２組中のいずれかの組の秘密鍵で暗号化・復号化するかに限らず、２組の秘密鍵がマッチングさえできれば、暗号化・復号化が可能となる。
【００４０】
さらに、上記実施例２において、モバイル支払プラットホームは具体的に運営業者によって提供される電子支払プラットホームであり、前記支払済み勘定を前記モバイル末端の電話勘定上に表示させることができ、又は、前記モバイル支払プラットホームは銀行委任の支払システムである可能性もある。本分野の技術者なら、本発明の実施例はただの電子支払プラットホーム又は銀行委任支払システムによる実例を挙げた説明に過ぎなく、本発明実施例は当該２種の方式だけに限らないということを理解し易い。
【００４１】
さらに、上記実施例１と実施例２において、目標物は具体的に食堂が消費者に提供したメニュー上の料理であり、リストは具体的に消費者が予約・注文した料理のリストであり、経営者は食堂の経営者であり、システムサーバーは食堂のシステムサーバーである。本分野の技術者なら、上記内容はただの食堂を例に挙げた説明に過ぎなく、本発明実施例に対する制限にはならないということを理解し易い。
【００４２】
上記本発明実施例の順番は説明の便利のために付けたもので、実施例の優劣を代表するものではない。
【００４３】
本分野の一般技術者なら、上記実施例の全部又は一部のステップを実現するにはハードウェアを利用して行うことができ、プログラムを利用して関連ハードウェアに命令を下して行うこともでき、前記プログラムはコンピュータの読み取り可能な記憶媒体中に保存することができ、上記記憶媒体は読み取りだけが可能な記憶装置、磁気ディスク又はＣＤ−ＲＯＭである。
【００４４】
上記内容は本発明の最良の実施例で、本発明を制限するものではなく、本発明の精神と原則に基づく、修正や、等価代替、改進などは、いずれも本発明の保護範囲に属する。
【図１】
2016004588.tif 000003
【図２】
2016004588.tif 000004